(57)【要約】      （修正有）【課題】椅子に座っている被介護者に圧迫感を与えることがなく、かつ身体の不安全な動きを十分に抑制することができる介護用椅子を提供する。【解決手段】腰掛け部１、前記腰掛け部の後端と屈曲自在に接合されている背もたれ部２、及び、柔軟材質で形成されているＹ字型身体固定部材３を有し、前記Ｙ字型身体固定部材は、前記腰掛け部の前端にその一端が接合され、かつその他端が２本に分岐しており、前記背もたれ部に前記Ｙ字型身体固定部材の他端の固定手段５を有することを特徴とする介護用椅子。【選択図】図１
0003114806.tif 000002
【実用新案登録請求の範囲】
【請求項１】
腰掛け部、前記腰掛け部の後端と屈曲自在に接合されている背もたれ部、及び、柔軟材質で形成されているＹ字型身体固定部材を有し、前記Ｙ字型身体固定部材は、前記腰掛け部の前端にその一端が接合され、かつその他端が２本に分岐しており、前記背もたれ部に前記Ｙ字型身体固定部材の他端の固定手段を有することを特徴とする介護用椅子。
【請求項２】
さらに、前記Ｙ字型身体固定部材の側部に接合され、柔軟材質で形成されている身体固定ベルトを有することを特徴とする請求項１に記載の介護用椅子。
【請求項３】
前記腰掛け部と背もたれ部の接合部に、凹部を有することを特徴とする請求項１又は請求項２に記載の介護用椅子。
【考案の詳細な説明】
【技術分野】
【０００１】  本考案は、車椅子等の介護用品に取付けられ、被介護者が座るために使用することができる介護用椅子に関するものである。
【背景技術】
【０００２】  車椅子等に被介護者が座る場合、被介護者が、判断能力の低い者であると、車椅子等の上で、不安全な身体の動きをする場合がある。例えば、歩けないのに車椅子より降りようとしてつまずき、ケガをする場合や、移動中の車椅子から乗り出して、車椅子の側面側にある傷害物とぶつかりケガをする場合がある。【０００３】  又、車椅子に座っている間に眠ってしまい、移動中の車椅子の振動等により前のめりになる、側面側にもたれかかる等の体勢になり、危険となる場合がある。そこで、車椅子等に座っている被介護者の身体を、車椅子等の椅子部（被介護者が座る腰かけ部及び背もたれ部）に保持するための手段が求められる。【０００４】  このような手段としてシートベルトが知られている。しかし、腰部のみを固定する２点式ベルトでは、前のめりや側面側へのもたれかかりを防ぐことができない。又、いわゆる３点式ベルトであっても、肩にかけられたベルトから被介護者が手等を抜くことは容易な場合が多く、又、一方の肩のみ固定されるので、もたれかかりを十分防ぐことができない。さらに一方の肩のみの固定で、被介護者の動きを抑制するために、被介護者に不快な圧迫感を与えるとの問題がある。【０００５】  さらに、従来の車椅子等では、長時間座っていると、椅子と接する腰部等、特に腰部の骨の突出部が長時間圧迫される問題がある。長時間の圧迫により、ずれ等の損傷が生じる場合があり、著しくは、その部分の皮膚や皮下組織が壊死してじょくそうを生じる問題がある。
【考案の開示】
【考案が解決しようとする課題】
【０００６】  本考案は、椅子に座っている被介護者に圧迫感を与えることがなく、かつ身体の不安全な動きを十分に抑制することができる介護用椅子を提供することを課題とする。【０００７】  本考案は、さらに、前記の介護用椅子であって、長時間座っていても、ずれやじょくそう等の損傷を生じることのない介護用椅子を提供することを課題とする。
【課題を解決するための手段】
【０００８】  椅子に座っている被介護者に圧迫感を与えることがない、かつ身体の不安全な動きを十分に抑制することができる介護用椅子との課題は、次に示す構成からなる介護用椅子により解決される。【０００９】  すなわち、腰掛け部、前記腰掛け部の後端と屈曲自在に接合されている背もたれ部、及び、柔軟材質で形成されているＹ字型身体固定部材を有し、前記Ｙ字型身体固定部材は、前記腰掛け部の前端にその一端が接合され、かつその他端が２本に分岐しており、前記背もたれ部に前記Ｙ字型身体固定部材の他端の固定手段を有することを特徴とする介護用椅子（請求項１）である。【００１０】  ここで、腰掛け部及び背もたれ部とは、通常の椅子の腰掛け部及び背もたれ部と同様な形状、機能を有するものであり、座り心地を良くするために通常は、皮膚にやさしい柔らかめ布で覆われたクッション性の部材により形成されている。又、車椅子等の取付けやすい大きさ、形状が好ましい。腰掛け部及び背もたれ部は、それぞれの一端（腰掛け部については後端、すなわち後ろ側の端、背もたれ部については下端）で、互いに屈曲自在に接合されているが、接合されているとは、非使用時においては切り離すことができるものも含む意味である。【００１１】  Ｙ字型身体固定部材を形成する柔軟材質としては、布や皮、柔軟な樹脂性帯等の柔軟な材質が挙げられるが、被介護者に不快感を与えないためには、柔軟性の高い布が好ましく、特に、丈夫で、肌にやさしい、軟らかい布等が好ましい。又、座るひとに圧迫感を与えないためには、Ｙ字型身体固定部材は、広めの布が好ましい。【００１２】  Ｙ字型身体固定部材は、腰掛け部の後端にその一端が接合され、かつその他端が２本に分岐しているものである。そして座るひとの両脚の間に、分岐していない方の部分を通し、腹部や胸部を覆い、２本に分岐している部分は、それぞれ肩の部分に通し、その端は背もたれ部、好ましくは背もたれ部の背部に設けられた固定手段により固定される。Ｙ字型身体固定部材は、身体にフィットするので、座るひとに与える圧迫感は少なく、苦しくなく、動きやすい。又、色々コーディネートすることが出来る。【００１３】  本考案の介護用椅子は、好ましくはさらに、前記Ｙ字型身体固定部材の両端間に設けられ、柔軟材質で形成されている身体固定ベルトを有する。この身体固定ベルトにより、背中と腰をより確実に固定することができる。【００１４】  本考案の介護用椅子は、好ましくはさらに又、前記腰掛け部と背もたれ部の接合部に、凹部を有する。すなわち、クッションの、背中からお尻にかけての部分に対応する部分をくりぬいたものが好ましい。くりぬいた部分の形としては、タマゴ型が例示される。この凹部により、座ったひとの身体と、前記腰掛け部及び／又は背もたれ部との間に、隙間を形成することができ、車椅子に長時間座った場合の問題である、じょくそうやズレを防止することができる。【００１５】  さらに、この凹部に湯たんぽ等を置き少し温かめの湯を入れることにより、より効果的にじょくそうやズレ等を防止することができる。又、この椅子を、四季を通じ快適に使えるようにする効果もある。
【考案の効果】
【００１６】  被介護者の身体を安全に車椅子等に固定することができ、車椅子から転落する心配等をなくすことができる。従って、高齢者や障害のあるひとを安心して乗せることができる。又被介護者に圧迫感を与えない。【００１７】  さらに、Ｙ字型身体固定部材は、容易に身体に装着することができ、部材の端と固定具を止めるだけで素早く装着出来るので、乗り降りが簡単に出来るとともに、災害などで慌てている時でも、対応が素早くできる。又、この部材は、腰掛け部に接合しているので、失うことがない。【００１８】  さらに又、前記凹部を有する場合は、じょくそうやズレを防止することができ、玉子型の湯たんぼを凹部に設置する等の方法で、長時間座っている人にも四季を通じて、快適に使用することができる。
【考案を実施するための最良の形態】
【００１９】  以下本考案を実施するための最良の形態を図１〜図３に基づいて説明する。【００２０】  図１は、本考案の介護用椅子を展開した平面図である。この椅子は、腰掛け部１、腰掛け部の後端（図中の点線部分）と屈曲自在に接合されている背もたれ部２、Ｙ字型身体固定部材３よりなる。Ｙ字型身体固定部材３は柔らかい布製であり、分岐していない部分３１及び２股に分岐している部分３２よりなる。分岐していない部分３１の一端は腰掛け部１の後端に接合している。【００２１】  分岐している部分３２の端には、止め具３３が設けられており、背もたれ部２の背部に設けられた固定手段５と結合することにより、Ｙ字型身体固定部材３の端を固定し、被介護者の身体を保持することができる。Ｙ字型身体固定部材３の両端間には身体固定ベルト４が設けられ、止め具４１によりその端を固定し、被介護者の身体を保持することができる。腰掛け部１と背もたれ部２の間には、凹部６が設けられ、この部分に湯たんぽ等を置くことができる。なお、図１中の１０は、Ｙ字型身体固定部材３の収納部であり、介護用椅子を使用しないときは、Ｙ字型身体固定部材３を折りたたんでこの中に収納することができる。【００２２】  図２は、本考案の介護用椅子を車椅子８に設置し、ひと７が座った様子を示す正面図であり、図３は、同じ様子を示す側面図である。図２より明らかなように、Ｙ字型身体固定部材３は、その分岐していない部分３１がひと７の両脚間を通り、ひと７の腹部を覆い、その分岐している部分３２がひと７の肩に掛けられて、ひと７の身体を保持している。【００２３】  図３より明らかなように、Ｙ字型身体固定部材３は、背もたれ部２の背部で固定手段５によりその端が固定されており、又、身体固定ベルト４によっても、ひと７の身体が保持されている。Ｙ字型身体固定部材３及び身体固定ベルト４は、コキカン９を有し、その長さを調節することができる。
【図面の簡単な説明】
【００２４】
【図１】  本考案の介護用椅子を展開した平面図である。
【図２】  本考案の使用の様子を示す正面図である。
【図３】  本考案の使用の様子を示す側面図である。
【符号の説明】
【００２５】  １  腰掛け部
２  背もたれ部
３  Ｙ字型身体固定部材
４  身体固定ベルト
５  固定手段
６  凹部
７  ひと
９  コキカン
【図１】
0003114806.tif 000003
【図２】
0003114806.tif 000004
【図３】
0003114806.tif 000005